(57)【要約】【課題】ウェブ状の媒体とこのウェブ状の媒体が巻回されるコアとを備える消耗品のコアのリユースを手間をかけずにできるようにする。【解決手段】ウェブ状の媒体３が巻回されるコア２に、コア２の再使用状況に関する再使用状況データを記憶しているデータ読み書き可能な無線タグ４を設ける。これにより、コア２を再使用する際に無線タグ４に記憶されている再使用状況データに基づいてコア２の再使用可否を判定することができ、コア２の状態を一つ一つ調べる必要が無い。【選択図】    図１
2004268350.tif 000002
【特許請求の範囲】
【請求項１】
ウェブ状の媒体と、
前記媒体が巻回されるコアと、
前記コアに設けられ前記コアの再使用状況に関する再使用状況データを記憶しているデータ読み書き可能な無線タグと、
を備える消耗品。
【請求項２】
ウェブ状の媒体と前記媒体が巻回されるコアとを備える消耗品の前記コアの再使用状況に関する再使用状況データを記憶部から取得する再使用状況データ取得手段と、
取得した前記再使用状況データに基づいて前記コアの再使用の可否を判定する判定手段と、
その判定結果を報知する報知手段と、
を備えるリユース管理装置。
【請求項３】
前記記憶部は、無線データ通信可能であって前記コアに設けられた無線タグであり、
前記再使用状況データ取得手段は、前記無線タグとの間で無線通信可能なデータ通信部を介して前記無線タグから前記再使用状況データを取得する請求項２記載のリユース管理装置。
【請求項４】
前記再使用状況データ取得手段は、前記コアが備え前記コアを識別するためのコア識別データを取得し、その取得したコア識別データに対応する前記コアの前記再使用状況データを前記記憶部から取得する請求項２記載のリユース管理装置。
【請求項５】
ウェブ状の媒体と前記媒体が巻回されるコアとを備える消耗品の前記コアが再使用される毎に、データ読み書き可能な記憶部に記憶されている前記コアの再使用状況に関する再使用状況データを更新させるリユース管理方法。
【請求項６】
前記消耗品が製造される製造場所を前記コアが流通する際に前記製造場所での前記コアの流通に関する流通データを前記記憶部に記憶させるステップと、
前記製造場所と前記消耗品が使用される消費場所との間の中継場所を前記コアが流通する際にその中継場所での前記流通データを前記記憶部に記憶させるステップと、
前記コアが前記消費場所を流通する際にその消費場所での前記流通データを前記記憶部に記憶させるステップと、
を含む請求項５記載のリユース管理方法。
【請求項７】
前記流通データは、流通場所データを含む請求項６記載のリユース管理方法。
【請求項８】
前記流通データは、流通日データを含む請求項６又は７記載のリユース管理方法。
【請求項９】
前記流通データは、輸送手段データを含む請求項６，７又は８記載のリユース管理方法。
【発明の詳細な説明】
【０００１】
【発明の属する技術分野】
本発明は、消耗品、リユース管理装置及びリユース管理方法に関する。
【０００２】
【従来の技術】
従来、例えば、消耗品としてＰＯＳ（Ｐｏｉｎｔ  ｏｆ  Ｓａｌｅｓ：販売時点管理）端末のレシートプリンタに使用されるロール紙がある。このロール紙には、ウェブ状の媒体であるレシート用紙が紙製のコアである芯に巻回された構造の芯付ロール紙がある。
【０００３】
近年、環境保護の観点から製品のリユース（再使用）やリサイクル（資源として再利用）を行う循環型生産がメーカに求められている。
【０００４】
ここで、電化製品のリユースやリサイクルを効率よく行なうための方法が従来より提案されている。例えば、製品にＩＣラベルを添付し、そのＩＣラベルに電化製品の修理内容などのメンテナンス内容を書き込み、書き込んだメンテナンスの内容に基づいてその製品をリユースするかリサイクルするかを選別するという方法が提案されている（例えば、特許文献１）。
【０００５】
【特許文献１】
特開２００２−１３３４８３公報
【０００６】
【発明が解決しようとする課題】
ところで、芯付ロール紙がレシートプリンタで使用されて、レシート用紙が使い切られた場合、芯は廃棄されてしまっている。ここで、この芯をリユースすることを考えた場合、芯は紙で作られているので、使用により徐々に傷みが生じてしまい、リユース可能であるかがわからないという問題がある。そこで、リユース可能であるかどうかを芯の状態を一つ一つ調べる作業を行うことが考えられるが、これには大変な手間が掛かってしまう。このような問題に関する解決法は特許文献１には提案されていない。
【０００７】
本発明の目的は、ウェブ状の媒体とこのウェブ状の媒体が巻回されるコアとを備える消耗品のコアのリユースを手間をかけずにできるようにすることである。
【０００８】
【課題を解決するための手段】
本発明は、ウェブ状の媒体（例えばレシート用紙）が巻回されるコア（例えば芯）に、前記コアの再使用状況に関する再使用状況データを記憶しているデータ読み書き可能な無線タグを設けた。
【０００９】
【発明の実施の形態】
本発明の第一の実施の形態を図１ないし図６に基づいて説明する。本実施の形態は、消耗品としてＰＯＳ端末が備えるレシートプリンタに使用される芯付ロール紙への適用例である。ここで、図１は本実施の形態の芯付ロール紙を示す斜視図、図２は芯付ロール紙の芯のライフサイクルの流れを示す模式図である。
【００１０】
図１に示すように芯付ロール紙１は、コアである芯２にウェブ状の媒体であるレシート用紙３が巻回された構造である。この芯２は、紙製であり、芯２には記憶部として機能する無線タグ４が埋め込まれている。
【００１１】
この芯付ロール紙１のライフサイクルの一例を図２に基づいて説明する。図２に示すように、芯付ロール紙１は、製造場所であるロール紙製造工場で製造され、中継場所であるＰＯＳ端末製造工場、中継場所である物流センタ、中継場所である各地サービスセンタを経由して、消費場所である各店舗に納入される。店舗で使用されレシート用紙３が使い切られた後の芯２は、再びロール紙製造工場へ戻される。このような芯付ロール紙１の無線タグ４には、流通場所で芯２の再使用状況に関する再使用状況データや流通データが書き込まれる。そして製造工場へ戻された芯２に対して再使用可否を判定する処理が実行される。ここで、この芯付ロール紙１の売値には、芯２に対する保証金が含まれており、芯付ロール紙１の使用後に芯２を返却することにより保証金が利用者に返却される仕組みとなっている。これにより芯２の返却率の向上が図られる。
【００１２】
次に、このように流通される芯２に埋め込まれている無線タグ４と、この芯２が流通する各場所に設置される装置を図３ないし図５に基づいて説明する。ここで、図３は無線タグの構成を示すブロック図、図４は再使用状況テーブル９を示す模式図である。
【００１３】
無線タグ４は、図３に示すように、ＣＰＵ５やメモリ部６等から構成されるＩＣチップ７と、コイルアンテナ８とを備えており、無線によるデータ通信可能とされている。詳しくは、コイルアンテナ８に誘導起電力を発生させることによりＩＣチップ７に対するデータの送受信（読み書き）が可能な構成になっている。ＩＣチップ７のメモリ部６は、データを書き換え自在に保持しデータの保持に電力を必要としない不揮発性メモリであるＥＥＰＲＯＭ等から構成されている。ここで、このような無線タグ４としては、静電結合方式、電磁結合方式、電磁波誘導方式、マイクロ波方式等、いずれの方式であってもよい。
【００１４】
無線タグ４のメモリ部６のＥＥＰＲＯＭには、図４に示すように、再使用状況テーブル９及び流通ファイル（図示せず）が設けられている。再使用状況テーブル９には、芯２の再使用状況データである芯２のリユースの限界回数を記憶している再使用限界回数エリア１０と、芯２の再使用状況データである再使用回数を記憶する再使用回数エリア１１とが設けられている。
【００１５】
次に、各地に設けられる装置について説明する。ロール紙製造場所には、図１に示すように、リユース管理装置２１が設置される。このリユース管理装置２１は、無線タグ４とのデータ通信を実行するデータ通信部である無線タグリーダライタ２２、キーボード２３、表示器２４等が設けられている。無線タグリーダライタ２２は、ゲート形状とされており、その内側をベルトコンベアＢにより搬送されて通過する芯２との間で無線通信を実行する。
【００１６】
図５はリユース管理装置が備える各部の電気的接続を示すブロック図である。図５に示すように、リユース管理装置２１は、マイクロコンピュータ（以下、マイコンという）２６を備えており、このマイコン２６は、各部の駆動制御や各種演算を行なうＣＰＵ（Ｃｅｎｔｒａｌ  Ｐｒｏｃｅｓｓｉｎｇ  Ｕｎｉｔ）２７に、バスライン２８を介して、起動プログラム等の固定的データを予め記憶するＲＯＭ（Ｒｅａｄ  Ｏｎｌｙ  Ｍｅｍｏｒｙ）２９、各種データを書き換え自在に記憶するワークエリア等として機能するＲＡＭ（Ｒａｎｄｏｍ  Ａｃｃｅｓｓ  Ｍｅｍｏｒｙ）３０とが接続されて構成されている。
【００１７】
ＣＰＵ２７に接続されたバスライン２８には、マイコン２６を動作させるコンピュータプログラム等を記憶したＨＤＤ（Ｈａｒｄ  Ｄｉｓｋ  Ｄｒｉｖｅ）３１が接続されている。ＨＤＤ３１に記憶されたコンピュータプログラムは、リユース管理装置２１の起動時にＲＡＭ３０にコピーされ、これによってマイコン２６による各部の駆動制御及び各種演算が可能な状態となる。
【００１８】
また、マイコン２６には、バスライン２８を介して、無線タグリーダライタ２２、キーボード２３、表示器２４、ブザー３２が接続されている。次に、マイコン２６によって駆動制御されるリユース管理装置２１の各部を説明する。
【００１９】
キーボード２３は、操作されたキーに応じた信号をマイコン２６に入力する。表示器２４は、マイコン２６から入力された表示データに応じて所定事項を表示する。ブザー３２は、マイコン２６からの駆動により音を鳴らす。無線タグリーダライタ２２は、ベルトコンベアＢによりゲート内を通過する芯２に埋め込まれている無線タグ４に対する読み取り及び書き込みを電磁誘導により行なう。
【００２０】
図１に示すように、ＰＯＳ端末製造工場、物流センタ、サービスセンタ、店舗には、無線タグリーダライタ５１が接続されたＰＣ（パーソナルコンピュータ）装置５２が設置されている。このＰＣ装置５２は、ＣＰＵ、ＲＯＭ、ＲＡＭから構成され各種演算や各部の駆動制御を実行するマイコン（図示せず）を備えており、このマイコンには、キーボード５３、表示器５４、無線タグリーダライタ５１が接続されている。店舗には、特に図示しないがＰＯＳ端末が設置されている。
【００２１】
次に、芯２が流通する過程で各地で行われる処理を説明する。
【００２２】
まず、ロール紙製造工場は、レシート用紙３が巻回される前の芯２に対するリユース可否判定処理が行われる。このリユース可否判定処理は、リユース管理装置２１のマイコン２６がコンピュータプログラムに基づいて実行する。このリユース可否判定処理を図６に基づいて説明する。ここで、図６は再使用可否判定処理の流れを示すフローチャートである。
【００２３】
まず、マイコン２６は、芯２に取り付けられた無線タグ４に記憶されている芯２の再使用状況テーブル９の再使用状況データの入力まで待機する（ステップＳ１のＮ）。この入力は、ベルトコンベアＢにより搬送される芯２に取り付けられた無線タグ４に記憶されている再使用状況テーブル９の再使用状況データを読み取った無線タグリーダライタ２２により行われる。
【００２４】
芯２の再使用状況テーブル９の再使用状況データの入力がされた場合には（ステップＳ１（再使用状況データ取得手段）のＹ）、それらのデータに基づいて芯２の再使用可否の判定を実行する（ステップＳ２、判定手段）。具体的には、芯２の再使用回数が再使用限界回数に達していないかを判定する。芯２の再使用回数が再使用限界回数に達していない場合には（ステップＳ２のＹ）、再使用可能と判定してステップＳ３に進む。ここで、新品の芯２の無線タグ４には、再使用回数「０」が記憶されおり、このような処理は新品の芯２に対しも問題なく行われる。一方、芯２の再使用回数が再使用限界回数に達している場合には（ステップＳ２のＮ）、再使用不可と判定してステップＳ６に進む。
【００２５】
ステップＳ２において芯２の再使用可能と判定しステップＳ３に進んだならば、ステップＳ３において、芯２の再使用可能な回数が残り１回か否かを判定する。具体的には、再使用回数が再使用限界回数から１引いた回数であるか否かを判定する。
【００２６】
芯２の再使用可能な回数が残り１回ではない場合には（ステップＳ３のＮ）、無線タグリーダライタ２２を駆動して無線タグ４の再使用状況テーブル９の再使用回数に１を加えて再使用回数を更新する（ステップＳ４）。
【００２７】
一方、ステップＳ３において芯２の再使用可能な回数が残り１回であると判定した場合には（ステップＳ３のＹ）、芯２の再使用可能回数が残り１回である旨を報知する（ステップＳ５、報知手段）。この報知の例としては、例えば、一定間隔でブザー３２を鳴らすことにより報知する。このようにして再使用可能回数が残り１回であると報知された芯２は、作業員によって刻印される。
【００２８】
ステップＳ５において芯２の再使用可能回数が残り１回である旨を報知した後、ステップＳ４に進み、無線タグ４の再使用状況テーブル９の再使用回数に１を加えて再使用回数を更新する。
【００２９】
このような処理によって、再使用可能であると判定された芯２の無線タグ４の流通ファイルには、ロール紙製造工場における流通データが書き込まれる。この流通データは、流通日データである製造日、流通場所データである製造場所、輸送手段データであるＰＯＳ端末製造工場までの輸送手段（陸路や空路）、流通日データである出荷日、流通場所データである出荷場所等である。これらの流通データは、キーボード５３のキー入力等により図示しないマイコンに入力され、マイコンが駆動制御する無線タグリーダライタ５１によって無線タグ４に書き込まれる。
【００３０】
次に、ＰＯＳ端末製造工場、物流センタ、サービスセンタで行われる処理について説明する。これらの各場所では、それらの場所における流通データが無線タグ４の流通ファイルに書き込まれる。流通データは、流通日データである入荷日、流通場所データ入荷場所、輸送手段データ次の場所までの輸送手段、流通日データである出荷日、流通場所データ出荷場所等である。これらの流通データは、キーボード５３のキー入力等により図示しないマイコンに入力され、マイコンが駆動制御する無線タグリーダライタ５１によって無線タグ４に書き込まれる。
【００３１】
次に、店舗で行われる処理について説明する。店舗では店舗における流通データが無線タグ４の流通に書き込まれる。流通データは、流通日データ入荷日、流通場所データである入荷場所、使用開始日、使用終了日、輸送手段データであるロール紙製造工場までの輸送手段、流通日データである返却日、流通場所データである返却場所等である。これらの流通データは、キーボード５３のキー入力等により図示しないマイコンに入力され、マイコンが駆動制御する無線タグリーダライタ５１によって無線タグ４に書き込まれる。
【００３２】
上述した各処理は芯２が流通する毎に行われる。そして、再使用回数が残り１回となった芯２が刻印され、その刻印後にその芯２が再使用され再びロール紙製造工場に戻ってきたときには、その刻印により再使用不可であることが分かるので、その刻印付の芯２に対して再使用可否判定処理を実行する必要が無く、直ぐにその芯２をリサイクルや廃棄に分別することができる。
【００３３】
また、何らかの原因で、刻印付きの芯２、つまり、芯２の再使用回数が再使用限界回数に達している芯２がリユース管理装置２１によって再使用可否判定処理を受けた場合、リユース管理装置２１は、図６に示すように、ステップＳ２において、芯２の再使用不可と判定してステップＳ６に進み、ステップＳ６において芯２の再使用は不可である旨を報知する（報知手段）。この報知の例としては、例えば、ブザー３２による連続音での報知である。このように再使用が不可であると報知された芯２は、作業員によって回収してリサイクルや廃棄に分別すればよい。
【００３４】
以上説明したように、本実施の形態では、レシート用紙３が巻回される芯２に、コア２の再使用状況に関する再使用状況データを記憶しているデータ読み書き可能な無線タグ４を設けたことにより、芯２を再使用する際に無線タグ４に記憶されている再使用状況データに基づいて芯２の再使用可否を判定することができ、芯２の状態を一つ一つ調べる必要が無いので、芯付ロール紙１の芯２のリユースを手間をかけずにすることができる。
【００３５】
また、本実施の形態においては、ウェブ状の媒体であるレシート用紙３とレシート用紙３が巻回されるコアである芯２とを備える消耗品である芯付ロール紙１の芯２の再使用状況に関する再使用状況データを記憶部である無線タグ４から取得する再使用状況データ取得手段と、取得した再使用状況データに基づいて芯２の再使用の可否を判定する判定手段と、その判定結果を報知する報知手段と、を備えることにより、芯２の再使用の可否が自動的に分かる。
【００３６】
また、本実施の形態においては、記憶部は、無線データ通信可能であって芯２に設けられた無線タグ４であり、再使用状況データ取得手段は、無線タグ４との間で無線通信可能なデータ通信部である無線タグリーダライタ２２を介して無線タグ４から再使用状況データを取得することにより、再使用状況データを簡単に取得することができる。
【００３７】
また、本実施の形態においては、ウェブ状の媒体であるレシート用紙３とレシート用紙３が巻回されるコアである芯２とを備える消耗品である芯付ロール紙の芯２が再使用される毎に、データ読み書き可能な記憶部である無線タグ４に記憶されている芯２の再使用状況に関する再使用状況データを更新させることにより、無線タグ４に記憶される再使用状況データが正確なものとなる。
【００３８】
また、本実施の形態においては、消耗品である芯付ロール紙１が製造される製造場所であるロール紙製造工場をコアである芯２が流通する際にロール紙製造工場での芯２の流通に関する流通データを記憶部である無線タグ４に記憶させるステップと、ロール紙製造工場と芯付ロール紙１が使用される消費場所である店舗との間の中継場所であるＰＯＳ端末製造工場、物流センタ、サービスセンタを芯２が流通する際にそのＰＯＳ端末製造工場、物流センタ、サービスセンタでの流通データを無線タグ４に記憶させるステップと、芯２が店舗を流通する際にその店舗での流通データを無線タグ４に記憶させるステップと、を含むことにより、無線タグ４に芯２の流通データが記憶されるので、芯２のライフサイクル全体を把握することができる。
【００３９】
また、本実施の形態においては、流通データは、流通場所データを含むことにより、芯２の流通場所を把握することができる。
【００４０】
また、本実施の形態においては、流通データは、流通日データを含むことにより、芯２の流通日を把握することができる。
【００４１】
また、本実施の形態においては、流通データは、輸送手段データを含むことにより、芯２の輸送手段を把握することができる。
【００４２】
次に、本発明の第二の実施の形態を図７に基づいて説明する。なお、前述した実施の形態と同じ部分は同一符号で示し説明も省略する。ここで、図７は本実施の形態のデータサーバ２０１を芯付ロール紙の芯のライフサイクルの流れとともに示す模式図である。
【００４３】
本実施の形態では、芯２の再使用状況テーブル及び流通ファイル等が図７に示すデータサーバ２０１に記憶されている点が前述した実施の形態とは異なる。このデータサーバ２０１は、リユース管理装置２１及びＰＣ装置５２に通信回線４０１により接続されている。
【００４４】
データサーバ２０１には、各部を集中的に制御するＣＰＵ、コンピュータプログラムを格納するＲＯＭ、ＣＰＵのワークエリアとして機能するＲＡＭ、タイマ等で構成される制御部２０２が設けられており、この制御部２０２は各種演算やデータ転送などを制御する。この制御部２０２には、各種データやコンピュータプログラムを格納して記憶部として機能するＨＤＤ２０３が接続されている。このＨＤＤ２０３には、前述した実施の形態で説明した芯２の再使用状況テーブル９及び流通ファイル（図示せず）が芯２を識別するための芯２の製造番号に関連付けされて記憶されている。
【００４５】
本実施の形態の無線タグ４には、芯２の製造番号のみが記憶されている。
【００４６】
リユース管理装置２１のマイコン２６及びＰＣ装置５２のマイコンには、通信回線４０１を介してデータサーバ２０１とのデータ通信を実行する通信インターフェース（図示せず）がそれぞれに接続されている。
【００４７】
次に、リユース管理装置２１のマイコン２６がコンピュータプログラムに基づいて実行するリユース可否判定処理を図１４に基づいて説明する。ここで、図８は再使用可否判定処理の流れを示すフローチャートである。
【００４８】
まず、マイコン２６は、芯２に取り付けられた無線タグ４に記憶されている芯２の製造番号の入力まで待機する（ステップＳ２１のＮ）。この入力は、ベルトコンベアＢにより搬送される芯２に取り付けられた無線タグ４に記憶されている製造番号を読み取った無線タグリーダライタ２２により行われる。
【００４９】
芯２の製造番号の入力がされた場合には（ステップＳ２１のＹ）、通信インターフェースを介してデータサーバ２０１に芯２の製造番号に対応する再使用状況データの送信を要求する要求信号を送信する（ステップＳ２２）。
【００５０】
一方、特に図示しないが、このような要求信号を受信したデータサーバ２０１は、その要求信号に応じてその信号に含まれる製造番号に対応する再使用状況テーブル９に記憶されている再使用状況データをリユース管理装置２１に対して送信する。
【００５１】
要求した製造番号の再使用状況データをデータサーバ２０１から受信した場合には（ステップＳ２３のＹ）、ステップＳ２に進む。ここで、ステップＳ２１〜ステップＳ２３によって再使用状況データ取得手段の機能が実行される。
【００５２】
そして、前述した実施の形態と同様にステップＳ２からステップＳ６までの処理を実行する。ここで、本実施の形態のステップＳ４では、リユース管理装置２１からデータサーバ２０１に対して当該芯２の製造番号に対応する再使用状況テーブル９に記憶されている再使用回数に１を加えて更新する旨の更新信号を送信する。この更新信号を受信したデータサーバ２０１はその更新信号に応じてその製造番号に対応する再使用状況テーブル９の再使用回数に１を加えて更新する。
【００５３】
次にリユース管理装置２１のマイコン２６、ＰＣ装置５２のマイコン、データサーバ２０１の制御部２０２がコンピュータプログラムに基づいて行う流通データのＨＤＤ２０３が備える流通ファイルへの書き込み処理について説明する。リユース管理装置２１及びＰＣ装置５２では、無線タグリーダライタ２２，５１による無線タグ４に記憶されている芯２の製造番号の入力があり、その製造番号に対応した流通データの入力がキーボード２３，５３のキー入力等により行われた場合、それらの流通データを製造番号に関連付けして通信インターフェースを介してデータサーバ２０１に送信する。一方、製造番号に関連付けされた流通データを受信したデータサーバ２０１はＨＤＤ２０３に格納されているその製造番号に対応する流通ファイルにそれらの流通データを記憶させる。
【００５４】
このように本実施の形態においては、再使用状況データ取得手段は、コアである芯２が備え芯２を識別するためのコア識別データである製造番号を取得し、その取得した製造番号に対応する芯２の再使用状況データを記憶部であるＨＤＤ２０３から取得することにより、無線タグ４に記憶されるデータ量が少ないので、無線タグ４の記憶容量が少なくて済む。
【００５５】
【発明の効果】
本発明によれば、ウェブ状の媒体（例えばレシート用紙）が巻回されるコア（例えば芯）に、前記コアの再使用状況に関する再使用状況データを記憶しているデータ読み書き可能な無線タグを設けたことにより、コアを再使用する際に無線タグに記憶されている再使用状況データに基づいてコアの再使用可否を判定することができ、コアの状態を一つ一つ調べる必要が無いので、消耗品のコアのリユースを手間をかけずにすることができる。
【図面の簡単な説明】
【図１】本発明の第一の実施の形態の芯付ロール紙を示す斜視図である。
【図２】芯付ロール紙の芯のライフサイクルの流れを示す模式図である。
【図３】無線タグの構成を示すブロックである。
【図４】再使用状況テーブルを示す模式図である。
【図５】リユース管理装置が備える各部の電気的接続を示すブロック図である。
【図６】再使用可否判定処理の流れを示すフローチャートである。
【図７】本発明の第二の実施の形態のデータサーバを芯付ロール紙の芯のライフサイクルの流れとともに示す模式図である。
【図８】再使用可否判定処理の流れを示すフローチャートである。
【符号の説明】
１…芯付ロール紙（消耗品）、２…芯（コア）、３…レシート用紙（媒体）、４…無線タグ（記憶部）、２１…リユース管理装置、２０３…ＨＤＤ（記憶部）、ステップＳ１…再使用状況データ取得手段、ステップＳ２…判定手段、ステップＳ５…報知手段、ステップＳ６…報知手段、ステップＳ２１〜ステップＳ２３…再使用状況データ取得手段
【図１】
2004268350.tif 000003
【図２】
2004268350.tif 000004
【図３】
2004268350.tif 000005
【図４】
2004268350.tif 000006
【図５】
2004268350.tif 000007
【図６】
2004268350.tif 000008
【図７】
2004268350.tif 000009
【図８】
2004268350.tif 000010